(57)【要約】【課題】本発明は回転水晶台を開示した。【解決手段】台座を含み、前記台座の中には上方に開口した収納チャンバが設けられ、前記台座の中には回転機構が設けられ、前記台座の底壁にはモーターが固定的に設けられ、前記モーターの外周端壁の中には環状電磁石が固定的に設けられ、前記モーターの頂端には伸縮ロッドが伝動できるように連結され、前記伸縮ロッドには水晶回転台が回転できるように設けられ、前記回転機構は前記水晶回転台に前記伸縮ロッドを中心に回転連動させることができ、前記水晶回転台の底面には前記モーターと同じの垂線に位置した永久磁石が左右対称に、且つ固定的に設けられ、前記台座の頂面右端にはそれぞれ前記永久磁石と前記モーターと通電できるように連結されたスイッチが固定的に設けられている。【選択図】図１
2020182794.tif 000002
【特許請求の範囲】
【請求項１】
正面視で、台座を含み、前記台座の中には上方に開口した収納チャンバが設けられ、前記台座の中には回転機構が設けられ、前記台座の底壁にはモーターが固定的に設けられ、前記モーターの外周端壁の中には環状電磁石が固定的に設けられ、前記モーターの頂端には伸縮ロッドが伝動できるように連結され、前記伸縮ロッドには水晶回転台が回転できるように設けられ、前記回転機構は前記水晶回転台に前記伸縮ロッドを中心に回転連動させることができ、前記水晶回転台の底面には前記モーターと同じの垂線に位置した永久磁石が左右対称に、且つ固定的に設けられ、前記台座の頂面右端にはそれぞれ前記永久磁石と前記モーターと通電できるように連結されたスイッチが固定的に設けられ、前記スイッチを押した時に前記環状電磁石が前記永久磁石を反発し、そして前記モーターが回転し、前記スイッチを上げた時に前記モーターが回転を止め、同時に前記環状電磁石の磁力がだんだん小さくなり、前記水晶回転台の中には第一空きチャンバが設けられ、前記第一空きチャンバの中には自転機構が設けられ、前記水晶回転台の中心に位置した前記第一空きチャンバの頂壁の中には上方に開口した第二空きチャンバが設けられ、前記第二空きチャンバの中には柄調整機構が設けられ、前記柄調整機構は前記自転機構を回転させる動力源を切り離すことができ、前記第二空きチャンバの外側端壁には上方に開口した第三空きチャンバが環状に配置され、前記第三空きチャンバの中には吸盤傾斜部品が設けられ、前記柄調整機構は前記吸盤傾斜部品を傾斜させることができ、前記第三空きチャンバと前記第一空きチャンバとの間には回転軸が回転できるように設けられ、前記回転軸の頂端には第一円盤が固定的に設けられ、前記第一円盤の上方には吸盤が設けられ、前記吸盤は展示品を吸着することができ、前記吸盤と前記第一円盤の頂面との間には第一バネが連結され、前記第三空きチャンバの底壁の内側には上方に開口した第一スライド溝が設けられ、前記第一スライド溝の中には前記吸盤を押すことができる押しロッドがスライドできるように設けられ、前記第二空きチャンバと前記第一空きチャンバとの間には第二スライド溝が連通するように設けられ、前記第二スライド溝の中には上下に伸びている第一スライドロッドがスライドできるように設けられ、前記第一スライドロッドと前記第二スライド溝の端壁とが摩擦によって接触しており、前記第一スライドロッドの頂端には柄が固定的に設けられ、前記第二空きチャンバの中の前記第一スライドロッドには第一歯車が固定的に設けられ、前記第二空きチャンバの底壁にはスライドチャンバが環状に配置され、前記スライドチャンバと前記第二空きチャンバとの間にはネジロッドが回転できるように設けられ、前記ネジロッドの頂端には始めから終わりまで前記第一歯車と噛合している第二歯車が固定的に設けられ、前記スライドチャンバの中にはピストンがスライドできるように設けられ、前記ピストンの中には前記ネジロッドと噛合する雌ねじが固定的に設けられ、前記ピストンと前記押しロッドとの間には液圧パイプが伝動できるように設けられていることを特徴とする回転水晶台。
【請求項２】
前記第一空きチャンバの中の前記伸縮ロッドには第二円盤が固定的に設けられ、前記伸縮ロッドの頂端には前記伸縮ロッドと噛合したスプラインスリーブがスライドできるように設けられ、前記スプラインスリーブには第一傘歯車が固定的に設けられ、前記第一傘歯車と前記第二円盤との間には第二バネが連結され、前記第一スライドロッドの底端には前記スプラインスリーブを下へ押すことができる押し盤が固定的に設けられ、前記第一空きチャンバの中の前記回転軸には前記第一傘歯車と噛合した第二傘歯車が固定的に設けられていることを特徴とする請求項１に記載の回転水晶台。
【請求項３】
前記収納チャンバの中の前記伸縮ロッドには第三歯車が固定的に設けられ、前記収納チャンバの内側端壁にはリングギヤが固定的に設けられ、前記収納チャンバには同時に前記第三歯車と前記リングギヤと噛合した第四歯車が左右に対称的に設けられ、前記第四歯車の中には上下に伸びているスライドスリーブが固定的に設けられ、前記スライドスリーブの中には前記水晶回転台の底面に固定された第二スライドロッドがスライドできるように設けられ、前記収納チャンバの底壁には上方に開口した収納溝が左右に対称的に設けられていることを特徴とする請求項１に記載の回転水晶台。
【発明の詳細な説明】
【技術分野】
【０００１】
本発明は展示台分野を取り上げて、具体的には回転水晶台である。
【背景技術】
【０００２】
伝統的な展示台で物を展示するとき、運動方式が単一であり、基本的に展示品を自転させるしかできなく、そして、大きい空間で複数の同じ種類の産品を展示するとき、複数の小型展示台を設置する必要があり、空間利用率が低い一方、コストも増え、また、一部の産品を展示するとき、客により便利に展示品を観察できるように、産品を傾斜させてから産品の特徴を展示する必要があり、従って、回転水晶台を設計し上記の問題を解決する。
【先行技術文献】
【特許文献】
【０００３】
【特許文献１】中国特許出願公開第１０６１２３８７７号明細書
【発明の概要】
【発明が解決しようとする課題】
【０００４】
本発明の目的は回転水晶台を提供し、それは上記の現在の技術中の問題を解決できる。
【課題を解決するための手段】
【０００５】
上記の課題を解決するため、本発明は以下の技術プランを採用する：本発明の回転水晶台は、台座を含み、前記台座の中には上方に開口した収納チャンバが設けられ、前記台座の中には回転機構が設けられ、前記台座の底壁にはモーターが固定的に設けられ、前記モーターの外周端壁の中には環状電磁石が固定的に設けられ、前記モーターの頂端には伸縮ロッドが伝動できるように連結され、前記伸縮ロッドには水晶回転台が回転できるように設けられ、前記回転機構は前記水晶回転台に前記伸縮ロッドを中心に回転連動させることができ、前記水晶回転台の底面には前記モーターと同じの垂線に位置した永久磁石が左右対称に、且つ固定的に設けられ、前記台座の頂面右端にはそれぞれ前記永久磁石と前記モーターと通電できるように連結されたスイッチが固定的に設けられ、前記スイッチを押した時に前記環状電磁石が前記永久磁石を反発し、そして前記モーターが回転し、前記スイッチを上げた時に前記モーターが回転を止め、同時に前記環状電磁石の磁力がだんだん小さくなり、前記水晶回転台の中には第一空きチャンバが設けられ、前記第一空きチャンバの中には自転機構が設けられ、前記水晶回転台の中心に位置した前記第一空きチャンバの頂壁の中には上方に開口した第二空きチャンバが設けられ、前記第二空きチャンバの中には柄調整機構が設けられ、前記柄調整機構は前記自転機構を回転させる動力源を切り離すことができ、前記第二空きチャンバの外側端壁には上方に開口した第三空きチャンバが環状に配置され、前記第三空きチャンバの中には吸盤傾斜部品が設けられ、前記柄調整機構は前記吸盤傾斜部品を傾斜させることができ、前記第三空きチャンバと前記第一空きチャンバとの間には回転軸が回転できるように設けられ、前記回転軸の頂端には第一円盤が固定的に設けられ、前記第一円盤の上方には吸盤が設けられ、前記吸盤は展示品を吸着することができ、前記吸盤と前記第一円盤の頂面との間には第一バネが連結され、前記第三空きチャンバの底壁の内側には上方に開口した第一スライド溝が設けられ、前記第一スライド溝の中には前記吸盤を押すことができる押しロッドがスライドできるように設けられ、前記第二空きチャンバと前記第一空きチャンバとの間には第二スライド溝が連通するように設けられ、前記第二スライド溝の中には上下に伸びている第一スライドロッドがスライドできるように設けられ、前記第一スライドロッドと前記第二スライド溝の端壁とが摩擦によって接触しており、前記第一スライドロッドの頂端には柄が固定的に設けられ、前記第二空きチャンバの中の前記第一スライドロッドには第一歯車が固定的に設けられ、前記第二空きチャンバの底壁にはスライドチャンバが環状に配置され、前記スライドチャンバと前記第二空きチャンバとの間にはネジロッドが回転できるように設けられ、前記ネジロッドの頂端には始めから終わりまで前記第一歯車と噛合している第二歯車が固定的に設けられ、前記スライドチャンバの中にはピストンがスライドできるように設けられ、前記ピストンの中には前記ネジロッドと噛合する雌ねじが固定的に設けられ、前記ピストンと前記押しロッドとの間には液圧パイプが伝動できるように設けられている。
【０００６】
優選の技術プランとして、前記第一空きチャンバの中の前記伸縮ロッドには第二円盤が固定的に設けられ、前記伸縮ロッドの頂端には前記伸縮ロッドと噛合したスプラインスリーブがスライドできるように設けられ、前記スプラインスリーブには第一傘歯車が固定的に設けられ、前記第一傘歯車と前記第二円盤との間には第二バネが連結され、前記第一スライドロッドの底端には前記スプラインスリーブを下へ押すことができる押し盤が固定的に設けられ、前記第一空きチャンバの中の前記回転軸には前記第一傘歯車と噛合した第二傘歯車が固定的に設けられ、前記押し盤が前記スプラインスリーブを下へ押すとき、前記第一傘歯車が下へ移動し前記第二傘歯車との噛合状態から離脱する。
【０００７】
優選の技術プランとして、前記収納チャンバの中の前記伸縮ロッドには第三歯車が固定的に設けられ、前記収納チャンバの内側端壁にはリングギヤが固定的に設けられ、前記収納チャンバには同時に前記第三歯車と前記リングギヤと噛合した第四歯車が左右に対称的に設けられ、前記第四歯車の中には上下に伸びているスライドスリーブが固定的に設けられ、前記スライドスリーブの中には前記水晶回転台の底面に固定された第二スライドロッドがスライドできるように設けられ、前記収納チャンバの底壁には上方に開口した収納溝が左右に対称的に設けられ、前記水晶回転台が降下するとき、前記第二スライドロッドが前記スライドスリーブの中で下へスライドし、そして前記収納溝の中に収納される。
【発明の効果】
【０００８】
本発明の回転水晶台は、反応が速く、展示品の展示を自由に調節することができ、操作が簡単でわかりやすく、同時に、本発明の装置は自動的に収納し、安全で信頼でき、外観も簡潔である。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の回転水晶台の全体構成略図
【図２】図２は図１のＤの拡大構成略図
【図３】図３は図１のＥの拡大構成略図
【図４】図４は図１のＢ―Ｂの構成略図
【図５】図５は図１のＡ―Ａの構成略図
【図６】図６は図１のＣ―Ｃの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜６に示したように、本発明の回転水晶台は、台座１７を含み、前記台座１７の中には上方に開口した収納チャンバ１９が設けられ、前記台座１７の中には回転機構９３が設けられ、前記台座１７の底壁にはモーター１８が固定的に設けられ、前記モーター１８の外周端壁の中には環状電磁石４７が固定的に設けられ、前記モーター１８の頂端には伸縮ロッド１６が伝動できるように連結され、前記伸縮ロッド１６には水晶回転台１０が回転できるように設けられ、前記回転機構９３は前記水晶回転台１０に前記伸縮ロッド１６を中心に回転連動させることができ、前記水晶回転台１０の底面には前記モーター１８と同じの垂線に位置した永久磁石１５が左右対称に、且つ固定的に設けられ、前記台座１７の頂面右端にはそれぞれ前記永久磁石１５と前記モーター１８と通電できるように連結されたスイッチ２１が固定的に設けられ、前記スイッチ２１を押した時に前記環状電磁石４７が前記永久磁石１５を反発し、そして前記モーター１８が回転し、前記スイッチ２１を上げた時に前記モーター１８が回転を止め、同時に前記環状電磁石４７の磁力がだんだん小さくなり、前記水晶回転台１０の中には第一空きチャンバ１１が設けられ、前記第一空きチャンバ１１の中には自転機構９２が設けられ、前記水晶回転台１０の中心に位置した前記第一空きチャンバ１１の頂壁の中には上方に開口した第二空きチャンバ３８が設けられ、前記第二空きチャンバ３８の中には柄調整機構９０が設けられ、前記柄調整機構９０は前記自転機構９２を回転させる動力源を切り離すことができ、前記第二空きチャンバ３８の外側端壁には上方に開口した第三空きチャンバ２５が環状に配置され、前記第三空きチャンバ２５の中には吸盤傾斜部品９１が設けられ、前記柄調整機構９０は前記吸盤傾斜部品９１を傾斜させることができ、前記第三空きチャンバ２５と前記第一空きチャンバ１１との間には回転軸２３が回転できるように設けられ、前記回転軸２３の頂端には第一円盤２４が固定的に設けられ、前記第一円盤２４の上方には吸盤２７が設けられ、前記吸盤２７は展示品を吸着することができ、前記吸盤２７と前記第一円盤２４の頂面との間には第一バネ２６が連結され、前記第三空きチャンバ２５の底壁の内側には上方に開口した第一スライド溝２９が設けられ、前記第一スライド溝２９の中には前記吸盤２７を押すことができる押しロッド２８がスライドできるように設けられ、前記第二空きチャンバ３８と前記第一空きチャンバ１１との間には第二スライド溝３７が連通するように設けられ、前記第二スライド溝３７の中には上下に伸びている第一スライドロッド３６がスライドできるように設けられ、前記第一スライドロッド３６と前記第二スライド溝３７の端壁とが摩擦によって接触しており、前記第一スライドロッド３６の頂端には柄４１が固定的に設けられ、前記第二空きチャンバ３８の中の前記第一スライドロッド３６には第一歯車４０が固定的に設けられ、前記第二空きチャンバ３８の底壁にはスライドチャンバ３０が環状に配置され、前記スライドチャンバ３０と前記第二空きチャンバ３８との間にはネジロッド３４が回転できるように設けられ、前記ネジロッド３４の頂端には始めから終わりまで前記第一歯車４０と噛合している第二歯車３９が固定的に設けられ、前記スライドチャンバ３０の中にはピストン３１がスライドできるように設けられ、前記ピストン３１の中には前記ネジロッド３４と噛合する雌ねじ３２が固定的に設けられ、前記ピストン３１と前記押しロッド２８との間には液圧パイプ３３が伝動できるように設けられている。
【００１３】
有益に、前記第一空きチャンバ１１の中の前記伸縮ロッド１６には第二円盤１４が固定的に設けられ、前記伸縮ロッド１６の頂端には前記伸縮ロッド１６と噛合したスプラインスリーブ２０がスライドできるように設けられ、前記スプラインスリーブ２０には第一傘歯車１２が固定的に設けられ、前記第一傘歯車１２と前記第二円盤１４との間には第二バネ１３が連結され、前記第一スライドロッド３６の底端には前記スプラインスリーブ２０を下へ押すことができる押し盤３５が固定的に設けられ、前記第一空きチャンバ１１の中の前記回転軸２３には前記第一傘歯車１２と噛合した第二傘歯車２２が固定的に設けられ、前記押し盤３５が前記スプラインスリーブ２０を下へ押すとき、前記第一傘歯車１２が下へ移動し前記第二傘歯車２２との噛合状態から離脱する。
【００１４】
有益に、前記収納チャンバ１９の中の前記伸縮ロッド１６には第三歯車４８が固定的に設けられ、前記収納チャンバ１９の内側端壁にはリングギヤ４５が固定的に設けられ、前記収納チャンバ１９には同時に前記第三歯車４８と前記リングギヤ４５と噛合した第四歯車４４が左右に対称的に設けられ、前記第四歯車４４の中には上下に伸びているスライドスリーブ４３が固定的に設けられ、前記スライドスリーブ４３の中には前記水晶回転台１０の底面に固定された第二スライドロッド４２がスライドできるように設けられ、前記収納チャンバ１９の底壁には上方に開口した収納溝４６が左右に対称的に設けられ、前記水晶回転台１０が降下するとき、前記第二スライドロッド４２が前記スライドスリーブ４３の中で下へスライドし、そして前記収納溝４６の中に収納される。
【００１５】
以下、付図と上記に説明した本出願の回転水晶台の具体的な構成とを参照し、使用方法を詳しく説明する：
【００１６】
正常に展示品を展示するとき、スイッチ２１を押し、スイッチ２１が環状電磁石４７を連動させ、環状電磁石４７が永久磁石１５を反発し、永久磁石１５が上へスライドし水晶回転台１０を連動させ、水晶回転台１０が上へスライドし収納チャンバ１９から伸び出され、同時に第二スライドロッド４２が上へスライドし収納溝４６から伸び出され、すなわち水晶回転台１０は伸縮ロッド１６を中心に回転することができる。
【００１７】
このときモーター１８が伸縮ロッド１６を回転連動させ、伸縮ロッド１６が回転するとき、第三歯車４８が第四歯車４４に伸縮ロッド１６を中心に回転連動させ、第四歯車４４が第二スライドロッド４２と水晶回転台１０とに伸縮ロッド１６を中心に回転連動させ、このとき水晶回転台１０が回転し、同時に伸縮ロッド１６が第一傘歯車１２を回転連動させ、第一傘歯車１２が第二傘歯車２２を回転連動させ、第二傘歯車２２が第一円盤２４と吸盤２７とを回転連動させ、吸盤２７が吸着した展示品を連動させて回転軸２３を中心に自転させ、展示品が自転する同時に伸縮ロッド１６を中心に回転し、両方向で回転することによって全方位に産品を展示することに便利であり、展示効果がいい。
【００１８】
展示品の自転を止めようとするとき、柄４１を押し、柄４１が押し盤３５を連動させて下へスライドさせ、押し盤３５がスプラインスリーブ２０を下へ押し、スプラインスリーブ２０が第一傘歯車１２を下へ移動連動させ、第一傘歯車１２を前記第二傘歯車２２との噛合状態から離脱させ、このとき第一傘歯車１２が吸盤２７を自転連動させることを止め、操作が簡単で、反応が速い。
【００１９】
展示品を傾斜させて展示するとき、柄４１を回し、柄４１が第二歯車３９を回転連動させ、第二歯車３９がネジロッド３４を回転連動させ、ネジロッド３４がピストン３１を下へスライド連動させ、ピストン３１が液圧パイプ３３により押しロッド２８に吸盤２７をプッシュさせ、吸盤２７の内側が押されて上げられて一定の傾斜角を形成し、展示方向と角度が多様であり、調節が便利である。
【００２０】
展示品を展示しないとき、スイッチ２１を上げ、スイッチ２１がモーターの回転を止め、同時にモーター１８が永久磁石１５に対する反発力がだんだん弱くなり、水晶回転台１０が惰力の作用により回転し、且つ水晶回転台１０の回転速度がだんだん遅くなり、第二スライドロッド４２が下へスライドし、且つ収納溝４６の中に収納された後、第二スライドロッド４２が収納溝４６の中に挿入され、水晶回転台１０の惰性による回転を止め、同時に水晶回転台１０が収納チャンバ１９の中に収納されるまで下へスライドし、装置が安全で信頼でき、自動的に収納する。
【００２１】
以上のように、本発明の回転水晶台は、反応が速く、展示品の展示を自由に調節することができ、操作が簡単でわかりやすく、同時に、本発明の装置は自動的に収納し、安全で信頼でき、外観も簡潔である。
【００２２】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020182794.tif 000003
【図２】
2020182794.tif 000004
【図３】
2020182794.tif 000005
【図４】
2020182794.tif 000006
【図５】
2020182794.tif 000007
【図６】
2020182794.tif 000008